(57)【要約】【課題】架台への太陽電池パネルの取付が容易になり、少人数でも安全に取付作業ができる太陽電池パネル設置用架台を提供する。【解決手段】架台上に方形枠状の保持枠１１が設けられ、複数枚の方形板状の太陽電池パネル１５ａ〜１５ｆが該保持枠に保持されて傾斜状に支持されるようにする太陽電池パネル用架台であり、該保持枠は相対する側面に溝部１１ａ，１１ｂが形成されたレール状枠部材１２ａ，１２ｂ，１２ｃが所定間隔離して平行であって架台上に傾斜状に設けられ、該レール状枠部材の下端部に下枠部材１３ａが固設され、複数枚の太陽電池パネルが両側縁を該レール状枠部材の溝部に遊嵌した状態で該保持枠内に保持される。【選択図】図４
2014190033.tif 000002
【特許請求の範囲】
【請求項１】
架台上に方形枠状の保持枠が設けられ、複数枚の方形板状の太陽電池パネルが該保持枠に保持されて傾斜状に支持されるようにする太陽電池パネル用架台であり、該保持枠は相対する側面に溝部が形成された少なくとも一対のレール状枠部材が所定間隔離して平行であって架台上に傾斜状に設けられ、該レール状枠部材の下端部に下枠部材が固設され、複数枚の太陽電池パネルが両側縁を該レール状枠部材の溝部に遊嵌した状態で該保持枠内に保持されるようにしたことを特徴とする太陽電池パネル設置用架台。
【請求項２】
架台上に方形枠状の保持枠が設けられ、複数枚の方形板状の太陽電池パネルが該保持枠に保持されて傾斜状に支持されるようにする太陽電池パネルの設置方法であり、該保持枠は相対する側面に溝部が形成された少なくとも一対のレール状枠部材が所定間隔離して平行であって架台上に傾斜状に設けられ、該レール状枠部材の下端部に下枠部材が固設され、最初に設置する太陽電池パネルの下方両側縁を該レール状枠部材の上端縁の溝部内に合致させて該太陽電池パネルを該保持枠の上部開放口から該保持枠内にスライドさせ該太陽電池パネルを前記下枠部材に当接させた後、次に設置する太陽電池パネルの下方両側縁を該レール状部材の上端縁の溝部内に合致させて該太陽電池パネルを該保持枠の上部開放口から該保持枠内にスライドさせて該太陽電池パネルを最初に設置した太陽電池パネルの上縁に当接させ、以下同様に太陽電池パネルを該保持枠内にスライドさせることで該保持枠内に複数枚の太陽電池パネルが保持されるようにしたことを特徴とする太陽電池パネル設置方法。
【発明の詳細な説明】
【技術分野】
【０００１】
本発明は、空地等に太陽電池パネルを太陽に向けて設置するための太陽電池パネル設置用架台、および、その架台に太陽電池パネルを設置する方法に関するものである。
【背景技術】
【０００２】
太陽電池パネルを空地等に設置する場合、一般に下記特許文献１〜３に示されたような架台を使用することにより、太陽電池パネルを地表から数十センチ〜１メートル程度の高さで南向きに１０度〜４５度程度傾斜した状態で支持し得るようにしている。
これらの太陽電池パネル設置用架台は、架台上に太陽電池パネルを乗せ、該太陽電池パネルの周縁部を鉤状の止金具およびボルトによって該架台に固定する構造であった。
【先行技術文献】
【特許文献】
【０００３】
【特許文献１】特許第４２１９９１７号公報
【特許文献２】特許第４６８８９５１号公報
【特許文献３】特許第５０２５１２５号公報
【発明の概要】
【発明が解決しようとする課題】
【０００４】
ところで、一般に太陽電池パネルは一辺の長さが数十センチから数メートルの面積があり、重量もあるので、これを架台上に乗せるには、クレーン或いは３人以上の作業者を必要とし、特に斜めに乗せなければならないので滑落のおそれもあり危険であるなどの問題があった。また、複数の太陽電池パネルを並べて設設すると、その太陽電池パネルの周縁部に作業者が近付き難くなるので止金具およびボルトによる固定作業が行ない難いという問題がある。
【課題を解決するための手段】
【０００５】
本発明の太陽電池パネル設置用架台はこのような問題点を解消しようとするもので、架台上に方形枠状の保持枠が設けられ、複数枚の方形板状の太陽電池パネルが該保持枠に保持されて傾斜状に支持されるようにする太陽電池パネル用架台であり、該保持枠は相対する側面に溝部が形成された少なくとも一対のレール状枠部材が所定間隔離して平行であって架台上に傾斜状に設けられ、該レール状枠部材の下端部に下枠部材が固設され、複数枚の太陽電池パネルが両側縁を該レール状枠部材の溝部に遊嵌した状態で該保持枠内に保持されるようにしたことを特徴とする。
また、本発明の太陽電池パネル設置方法は、架台上に方形枠状の保持枠が設けられ、複数枚の方形板状の太陽電池パネルが該保持枠に保持されて傾斜状に支持されるようにする太陽電池パネルの設置方法であり、該保持枠は相対する側面に溝部が形成された少なくとも一対のレール状枠部材が所定間隔離して平行であって架台上に傾斜状に設けられ、該レール状枠部材の下端部に下枠部材が固設され、最初に設置する太陽電池パネルの下方両側縁を該レール状枠部材の上端縁の溝部内に合致させて該太陽電池パネルを該保持枠の上部開放口から該保持枠内にスライドさせ該太陽電池パネルを前記下枠部材に当接させた後、次に設置する太陽電池パネルの下方両側縁を該レール状部材の上端縁の溝部内に合致させて該太陽電池パネルを該保持枠の上部開放口から該保持枠内にスライドさせて該太陽電池パネルを最初に設置した太陽電池パネルの上縁に当接させ、以下同様に太陽電池パネルを該保持枠内にスライドさせることで該保持枠内に複数枚の太陽電池パネルが保持されるようにしたことを特徴とする。
【発明の効果】
【０００６】
本発明によれば、架台への太陽電池パネルの取付が容易になり、少人数でも安全に取付作業ができるようになる。
【図面の簡単な説明】
【０００７】
【図１】本発明に係る太陽電池パネル設置用架台の斜視図。
【図２】図１の太陽電池パネル設置用架台の部分拡大側面図。
【図３】図１の架台に太陽電池パネルを設置する途中の斜視図。
【図４】図１の架台に太陽電池パネルを設置する途中の斜視図。
【図５】図１の架台に太陽電池パネルを設置完了した状態の斜視図。
【図６】図５のＡ−Ａ線断面拡大図。
【発明を実施するための最良の形態】
【０００８】
次に本発明に係る太陽電池パネル設置用架台を説明する。図１に示すように、コンクリート土台１ａ，１ｂ上に固定金具２を該土台中に埋設されたアンカーボルト３によって固定し、該固定金具２に支柱４ａ，４ａ，４ｂ，４ｂの下端部をボルト５によって固着することにより、該各支柱が垂直に支持される。なお、各支柱４ａ，４ａ，４ｂ，４ｂはスチール角パイプからなるもので、前側の２本の支柱４ａ，４ａの長さは約６２ｃｍであり、後側の２本の支柱４ｂ，４ｂの長さは約９２ｃｍである。５ａは前側の支柱４ａ，４ａ上に水平に横架された梁部材、５ｂは後側の支柱４ｂ，４ｂ上に水平に横架された梁部材である。該梁部材５ａ，５ｂは、図２にその端面を示すように、下面側に支柱４ａ，４ａ，４ｂ，４ｂの上端部を嵌入し得る凹部６が形成され、上面側に約２０度傾斜した傾斜状受部７が一体に形成されたアルミ型抜材であり、該凹部６にボルト８を貫挿することにより、該支柱４ａ，４ａ，４ｂ，４ｂ上にそれぞれ固着される。
また、９ａ，９ｂは両端部を支柱４ａ，４ａの上部寄りと支柱４ｂ，４ｂの下部寄りとにボルト接合して連結した横断面Ｌ形の補強杆、１０ａ，１０ａは両端部を支柱４ａ，４ａの下部寄りと前記梁部材５ａの下面中央部とにボルト接合して連結した横断面Ｌ形の補強杆、１０ｂ，１０ｂは両端部を支柱４ｂ，４ｂの下部寄りと前記梁部材５ｂの下面中央部とにボルト接合して連結した横断面Ｌ形の補強杆である。
【０００９】
１１はこの架台上に約２０度の勾配で前傾状に固設された方形枠状の保持枠である。該保持枠１１は、図６に示されるように両側に溝部１１ａ，１１ｂが形成された横断面Ｈ形のアルミ型抜材からなる３本のレール状枠部材１２ａ，１２ｂ，１２ｃが前記梁部材５ａ，５ｂの傾斜状受部７上に所定間隔離して平行であって、隣り合うレール状枠部材１２ａ，１２ｂ，１２ｃの溝部１１ａ，１１ｂどうしが相対するようにボルト１３を貫挿することにより傾斜状に固着され、該レール状枠部材１２ａ，１２ｂ，１２ｃの下端部に横断面コ字状の下枠部材１３ａをボルト１４ａによって固着している。なお、１３ｂは設置完了後に該レール状枠部材１２ａ，１２ｂ，１２ｃの上端部にボルト１４ｂによって固着される横断面コ字状の上枠部材である。
【００１０】
太陽電池パネル１５ａ〜１５ｆは、長辺の長さがレール状枠部材１２ａと１２ｂの間隔、およびレール状枠部材１２ｂと１２ｃの間隔に略々等しく、短辺の長さがレール状枠部材１２ａ，１２ｂ，１２ｃの長さの約１／３の長方形状であって、その周囲に縁部材１６が予め固着されたものである。この太陽電池パネル１５ａ〜１５ｆを保持枠１１内に設置するに際しては、二人の作業者が太陽電池パネル１５ａの両短辺を保持して該太陽電池パネル１５ａを少し傾斜させ、図３に示したように、該太陽電池パネル１５ａの下方両側縁をレール状枠部材１２ａ，１２ｂの上端縁の溝部１１ａ，１１ｂ内に合致させて該太陽電池パネル１５ａを該保持枠１１の上部開放口から該保持枠１１内にスライドさせ該太陽電池パネルａを前記下枠部材１３ａに当接させる。そして、図４に示したように次に設置しようとする太陽電池パネル１５ｂの下方両側縁を同様に該レール状部材１２ａ，１２ｂの上端縁の溝部１１ａ，１１ｂ内に合致させて該太陽電池パネル１５ｂを該保持枠１１の上部開放口から該保持枠内にスライドさせて該太陽電池パネルを最初に設置した太陽電池パネル１５ａの上縁に当接させ、以下同様に太陽電池パネル１５ｃを該保持枠１１内にスライドさせることで該保持枠１１内に複数枚の太陽電池パネル１５ａ，１５ｂ，１５ｃを保持される。
また、レール状枠部材１２ｂ，１２ｃの間にも同様に太陽電池パネル１５ｄ，１５ｅ，１５ｆを順にスライドさせることにより保持する。このように全部の太陽電池パネル１５ａ〜１５ｆが保持された後、図５に示したように該レール状部材１２ａ，１２ｂ，１２ｃの上端部に上枠部材１３ｂをボルト１４ｂによって固着して該保持枠１１の上部開放口を閉鎖することにより設置が完了する。
【００１１】
このように本発明によれば、太陽電池パネルを傾斜状に設けられた一対のレール状枠部材の間に上端縁からスライドさせることにより設置できるので、クレーン等を使用しなくても少ない作業人員にて効率よく設置作業を遂行することができる。
また、このように設置した太陽電池パネルは、両側縁がレール状部材の溝部中に嵌合しているので、従来のように太陽電池パネルを止金具等により上方から押さえなくても強風等により浮き上がるおそれがなく、枠内に安定した状態で保持される。また、このように止金具等をボルト止する作業を要しないことから、多数枚の太陽電池パネルを隙間無く設置する際にも、設置した太陽電池パネル上に作業員が乗ったり、クレーン等の吊具を要することなく安全に作業をすることができる。さらには、設置後に一部の太陽電池パネルを交換することも可能で、メンテナンスも容易になる。
【符号の説明】
【００１２】
４ａ，４ａ，４ｂ，４ｂ    支柱
５ａ，５ｂ                梁部材
１１                      保持枠
１１ａ，１１ｂ            溝部
１２ａ，１２ｂ，１２ｃ    レール状枠部材
１５ａ〜１５ｆ            太陽電池パネル
１３ａ                    下枠部材
１３ｂ                    上枠部材
【図１】
2014190033.tif 000003
【図２】
2014190033.tif 000004
【図３】
2014190033.tif 000005
【図４】
2014190033.tif 000006
【図５】
2014190033.tif 000007
【図６】
2014190033.tif 000008